(57)【要約】      （修正有）【課題】ユーザの周囲及び上方を覆う複数の表示パネルを含む表示装置を実現する。【解決手段】本開示の表示装置は、第１の薄膜トランジスタ基板２３０Ａと、前記第１の薄膜トランジスタ基板に対向して設けられた第１の対向基板２４０Ａと、を含み、第１の表示面を有する第１の表示パネル２００Ａと、第２の薄膜トランジスタ基板２３０Ｂと、前記第２の薄膜トランジスタ基板に対向して設けられた第２の対向基板２４０Ｂと、を含み、第２の表示面を有する第２の表示パネル２００Ｂと、を含み、前記第１の表示面と、前記第２の表示面とがなす角度が、１８０度未満である。【選択図】図４
2020160342.tif 000002
【特許請求の範囲】
【請求項１】
第１の薄膜トランジスタ基板と、前記第１の薄膜トランジスタ基板に対向して設けられた第１の対向基板と、を含み、第１の表示面を有する第１の表示パネルと、
第２の薄膜トランジスタ基板と、前記第２の薄膜トランジスタ基板に対向して設けられた第２の対向基板と、を含み、第２の表示面を有する第２の表示パネルと、を含み、
前記第１の表示面と、前記第２の表示面とがなす角度が、１８０度未満である、
表示装置。
【請求項２】
前記第１の表示パネルは、１つの画像の一部を表示し、
前記第２の表示パネルは、前記画像の他部の少なくとも一部を表示する、
請求項１に記載の表示装置。
【請求項３】
前記第１の表示パネルは、前記第１の表示パネルを駆動する第１のドライバが配置された第１の辺と、前記第１のドライバが配置されない第２の辺と、を有し、
前記第２の表示パネルは、前記第２の表示パネルを駆動する第２のドライバが配置された第３の辺と、を有し、
前記第２の辺と前記第３の辺とが隣接して配置された、
請求項２に記載の表示装置。
【請求項４】
前記第２の表示パネルの背面側に配置された第２のバックライトと、
前記第２の表示パネルの前記第３の辺と電気的に接続された第２のフィルム状配線基板と、
前記第２のフィルム状配線基板と電気的に接続された第２のプリント回路基板と、を更に含み、
前記第２のフィルム状配線基板の少なくとも一部が湾曲し、前記第２のプリント回路基板が、前記第２のバックライトの裏面側に配置された、
請求項３に記載の表示装置。
【請求項５】
前記第１の表示パネルの背面側に配置された第１のバックライトと、
前記第２の表示パネルの背面側に配置された第２のバックライトと、を更に含み、
前記第１のバックライトは、前記第２の辺における背面側に傾斜面を有し、
前記第２の表示パネルの前記第３の辺における、前記第２の薄膜トランジスタ基板の少なくとも一部が、前記傾斜面と対向するよう配置された、
請求項３に記載の表示装置。
【請求項６】
前記第１の薄膜トランジスタ基板は、
第１の方向に延伸する複数の第１のゲート線と、
前記第１の方向に交差する第２の方向に延伸する複数の第１のソース線と、
前記第２の方向に延伸し前記複数の第１のゲート線に電気的に接続された複数の第１のゲート引出線と、を含み、
前記第１のドライバは、
前記複数の第１のソース線にソース信号を供給する第１のソースドライバと、
前記複数の第１のゲート引出線にゲート信号を供給する第１のゲートドライバと、を含み、
前記第２の薄膜トランジスタ基板は、
第３の方向に延伸する複数の第２のゲート線と、
前記第３の方向に交差する第４の方向に延伸する複数の第２のソース線と、
前記第４の方向に延伸し前記複数の第２のゲート線に電気的に接続された複数の第２のゲート引出線と、を含み、
前記第２のドライバは、
前記複数の第２のソース線にソース信号を供給する第２のソースドライバと、
前記複数の第２のゲート引出線にゲート信号を供給する第２のゲートドライバと、を含む、
請求項３に記載の表示装置。
【請求項７】
前記第１の方向と前記第３の方向とが異なり、
前記第２の方向と前記第４の方向とが異なる、
請求項６に記載の表示装置。
【請求項８】
前記第１の表示パネルは正多角形の外形を有し、
前記第２の表示パネルは正多角形の外形を有する、
請求項３に記載の表示装置。
【請求項９】
前記第１の表示パネルは正三角形の外形を有し、
前記第２の表示パネルは正三角形の外形を有する、
請求項８に記載の表示装置。
【請求項１０】
前記第１の表示パネルと前記第２の表示パネルは、多面体の一部を構成する、
請求項８に記載の表示装置。
【請求項１１】
前記第１の表示面と、前記第２の表示面とは、前記多面体の中心位置を向く、
請求項１０に記載の表示装置。
【請求項１２】
前記第１の表示パネルにおいて、前記第１の薄膜トランジスタ基板は、前記第１の対向基板よりも前記第１の表示面側に配置され、
前記第２の表示パネルにおいて、前記第２の薄膜トランジスタ基板は、前記第２の対向基板よりも前記第２の表示面側に配置される、
請求項１に記載の表示装置。
【発明の詳細な説明】
【技術分野】
【０００１】
本発明は、表示装置に関する。
【背景技術】
【０００２】
下記特許文献１には、表示領域と、非表示領域を有する表示パネルを備えた液晶表示装置が開示されている。非表示領域には、ゲートドライバが配置されており、このゲートドライバが、表示領域を延伸するゲート線にゲート信号を供給している。また、非表示領域には、ソースドライバが配置されており、このソースドライバが、表示領域を延伸するソース線にソース信号を供給している。
【先行技術文献】
【特許文献】
【０００３】
【特許文献１】特開２０１４−１１９７５４号公報
【発明の概要】
【発明が解決しようとする課題】
【０００４】
現在、例えば球状又は半球状に近い形で、ユーザの周囲及び上方を覆う複数の表示パネルを用いた表示装置の実現が要望されている。しかしながら、そのような要望を満たす表示装置は存在していない。
【０００５】
本開示は、上記実情に鑑みてなされたものであり、その目的は、ユーザの周囲及び上方を覆う表示装置を実現することにある。
【課題を解決するための手段】
【０００６】
本開示に係る表示装置は、第１の薄膜トランジスタ基板と、前記第１の薄膜トランジスタ基板に対向して設けられた第１の対向基板と、を含み、第１の表示面を有する第１の表示パネルと、第２の薄膜トランジスタ基板と、前記第２の薄膜トランジスタ基板に対向して設けられた第２の対向基板と、を含み、第２の表示面を有する第２の表示パネルと、を含み、前記第１の表示面と、前記第２の表示面とがなす角度が、１８０度未満である。
【発明の効果】
【０００７】
本開示に係る表示装置の構成によれば、ユーザの周囲及び上方を覆う複数の表示パネルを含む表示装置を実現することができる。
【図面の簡単な説明】
【０００８】
【図１】図１は第１の実施形態に係る表示装置の概略構成を示す模式的な斜視図である。
【図２】図２は第１の実施形態に係る表示装置の模式的な展開図である。
【図３】図３は第１の実施形態の他の実施例に係る表示装置の概略構成を示す模式的な斜視図である。
【図４】図４は第１の実施形態に係る第１の表示パネルと第２の表示パネルとの配置関係を示す模式的な側面図である。
【図５】図５は第１の実施形態に係る第１の表示パネルの概略構成を示す模式的な平面図である。
【図６】図６は第１の実施形態に係る第１の表示パネルと第２の表示パネルとの配置関係を示す模式的な平面図である。
【図７】図７は第１の実施形態の他の実施例に係る第１の表示パネルと第２の表示パネルとの配置関係を示す模式的な側面図である。
【発明を実施するための形態】
【０００９】
本開示の第１の実施形態について、図面を用いて以下に説明する。以下では、表示装置１００として液晶表示装置を例に挙げて説明するが、本発明に係る表示装置は、液晶表示装置に限定されるものではなく、例えば有機ＥＬ（エレクトロルミネセンス）表示装置等であってもよい。
【００１０】
［第１の実施形態］
図１は、第１の実施形態に係る表示装置１００の概略構成を示す模式的な斜視図である。また、図２は、第１の実施形態に係る表示装置１００の模式的な展開図である。図１、２に示すように、表示装置１００は、複数の表示パネル２００（２００Ａ、２００Ｂ）を組み合わせて構成されている。本実施形態においては、各表示パネル２００が正三角形の外形を有し、表示装置１００が正２０面体である構成を例に挙げて説明する。即ち、複数の表示パネル２００に含まれる第１の表示パネル２００Ａと、第２の表示パネル２００Ｂは、正多面体の一部を構成している。なお、本発明はこの構成に限定されず、表示装置１００がその他の多面体、正多面体であってもよく、各表示パネル２００の外形がその他の多角形、正多角形であってもよい。また、図３に示すように、表示装置１００が、多面体の一部を構成し、半球状に近い形状を有していてもよい。また、多面体を構成する一部の面には表示パネル２００を設けず、ユーザの入出口となっていてもよい。ユーザは、この図１、２に示したような表示装置１００の内側に入り、表示装置１００の例えば中心位置から、表示装置１００により表示される画像を視る。
【００１１】
図４は、第１の実施形態に係る表示装置１００に含まれる第１の表示パネル２００Ａと、第１の表示パネル２００Ａと隣接して配置された第２の表示パネル２００Ｂの配置関係を示す模式的な側面図である。
【００１２】
図４に示すように、第１の表示パネル２００Ａは、第１の薄膜トランジスタ基板２３０Ａと、第１の薄膜トランジスタ基板２３０Ａの表示面側に配置された第１の対向基板２４０Ａと、を含む。また、本実施形態においては、表示装置１００が、第１の表示パネル２００Ａの第１の薄膜トランジスタ基板２３０Ａの背面側に配置された、第１のバックライト６００Ａを含む構成としている。
【００１３】
また、図４に示すように、第２の表示パネル２００Ｂは、第２の薄膜トランジスタ基板２３０Ｂと、第２の薄膜トランジスタ基板２３０Ｂの表示面側に配置された第２の対向基板２４０Ｂと、を含む。また、本実施形態においては、表示装置１００が、第２の表示パネル２００Ｂの第２の薄膜トランジスタ基板２３０Ｂの背面側に配置された、第２のバックライト６００Ｂを含む構成としている。
【００１４】
第１の表示パネル２００Ａは、第１の表示領域３００Ａを含む第１の表示面３１０Ａを有し、第２の表示パネル２００Ｂは、第２の表示領域３００Ｂを含む第２の表示面３１０Ｂを有する。第１の表示面３１０Ａ、第２の表示面３１０Ｂは、それぞれ正２０面体である表示装置１００の中心位置を向いており、第１の表示面３１０Ａと、第２の表示面３１０Ｂとがなす角度θが、１８０度未満となるよう配置されている。
【００１５】
このような構成とすることにより、表示装置１００が、ユーザの周囲及び上方を覆い、ユーザが、表示装置１００の内側から表示装置１００により表示される画像を視ることができる。
【００１６】
ここで、表示装置１００を構成する複数の表示パネル２００を用いて、一つの画像を表示する構成としても良い。例えば、第１の表示パネル２００Ａが一つの画像の一部を表示し、第２の表示パネル２００Ｂが当該画像の他の一部を表示し、それぞれの表示パネル２００が表示する画像が並べて配置されることによって、表示装置１００全体として一つの画像を表示する構成としてもよい。このような構成とすることにより、表示装置１００を、例えばプラネタリウムや、フライトシミュレータなどに用いることができる。
【００１７】
図５は、第１の実施形態に係る第１の表示パネル２００Ａの概略構成を示す模式的な平面図である。第１の表示パネル２００Ａは、上述したとおり、第１の薄膜トランジスタ基板２３０Ａと、第１の薄膜トランジスタ基板２３０Ａの表示面側に配置された第１の対向基板２４０Ａと、を含み、第１の薄膜トランジスタ基板２３０Ａと第１の対向基板２４０Ａとが対向する領域内に、図４に示した第１の表示領域３００Ａが含まれる。
【００１８】
第１の表示パネル２００Ａの外形を構成する第１の辺２７１には、第１の表示パネル２００Ａを駆動する第１のドライバが配置されている。第１のドライバは、複数のソース線ＳＬにソース信号を供給する第１のソースドライバ４１０Ａと、複数のゲート線ＧＬにゲート信号を供給する第１のゲートドライバ４２０Ａとを含む。本実施形態においては、複数の第１のゲートドライバ４２０Ａが、第１の辺２７１における第１の薄膜トランジスタ基板２３０Ａに搭載されている。
【００１９】
また、本実施形態においては、第１の表示パネル２００Ａの第１の辺２７１側に、電源回路やタイミングコントローラ等を含む第１のプリント回路基板５１０Ａが配置されており、第１の表示パネル２００Ａは、第１のフィルム状配線基板５２０Ａを介して、この第１のプリント回路基板５１０Ａと電気的に接続されている。この第１のフィルム状配線基板５２０Ａには上述した第１のソースドライバ４１０Ａが搭載されている。
【００２０】
このように、第１のドライバは、第１の表示パネル２００Ａの第１の辺２７１上に直接設けられていても良く、また、配線を介して、第１の表示パネル２００Ａの第１の辺２７１に接続されていてもよい。配線を介して第１のドライバが第１の辺２７１に接続される場合、第１の表示パネル２００Ａの第１の辺２７１は、例えば、第１のフィルム状配線基板５２０Ａに対する接続部を有する。
【００２１】
なお、第１の辺２７１に、第１のドライバが配置されるとは、第１のドライバが第１の辺２７１に直接配置されることに加えて、配線等を介して、第１のドライバが第１の辺２７１に接続されている構成をも含む。
【００２２】
図５に示すように、第１の表示パネル２００Ａの第１の薄膜トランジスタ基板２３０Ａは、複数のゲート線ＧＬを含む。複数のゲート線ＧＬは、複数の画素間を横切るよう第１の方向に延伸し、第１の方向に交差する第２の方向に略等間隔に配置されている。また、第１の表示パネル２００Ａの第１の薄膜トランジスタ基板２３０Ａは、第２の方向に延伸する複数のゲート引出線ＶＧＬを含む。複数のゲート線ＧＬは、この複数のゲート引出線ＶＧＬに電気的に接続されており、第１のゲートドライバ４２０Ａは、このゲート引出線ＶＧＬを介してゲート信号を各ゲート線ＧＬに供給する。
【００２３】
また、図５に示すように、第１の表示パネル２００Ａの第１の薄膜トランジスタ基板２３０Ａは、複数のソース線ＳＬを含む。複数のソース線ＳＬは、第１のソースドライバ４１０Ａに電気的に接続され、第１のソースドライバ４１０Ａからのソース信号が供給される。複数のソース線ＳＬは、複数の画素間を横切るよう、第２の方向に延伸する。
【００２４】
このような構成とすることにより、第１のドライバ（第１のソースドライバ４１０Ａ、第１のゲートドライバ４２０Ａ）を第１の辺２７１にまとめて配置することができ、第１の表示パネル２００Ａの外形を構成するその他の辺（例えば第２の辺２７２）においては、第１の表示パネル２００Ａを駆動するための第１のドライバを配置する必要が無い構成を実現することができ、狭額縁化を図ることが可能となる。
【００２５】
第１の表示パネル２００Ａの第１の表示領域３００Ａには、複数のゲート線ＧＬ及び複数のソース線ＳＬによって区画された複数の画素領域がマトリクス状に配置されている。第１の表示パネル２００Ａは、複数の画素領域に形成された複数の画素電極ＰＥと、該複数の画素電極ＰＥに対応する共通電極ＣＥと、各ゲート線ＧＬ及び各ソース線ＳＬの交差部近傍に形成された複数の薄膜トランジスタＴＦＴとを含んでいる。共通電極ＣＥには、共通電位が供給されている。
【００２６】
なお、本実施形態においては、第２の表示パネル２００Ｂや、表示装置１００に含まれるその他の表示パネル２００についても、上述した第１の表示パネル２００Ａと同様の構成を有する。
【００２７】
図６は、第１の実施形態に係る第１の表示パネル２００Ａと第２の表示パネル２００Ｂとの配置関係を示す模式的な平面図である。図６に示すように、第２の表示パネル２００Ｂは、第２の薄膜トランジスタ基板２３０Ｂと、第２の薄膜トランジスタ基板２３０Ｂと対向するよう配置された第２の対向基板２４０Ｂと、を有する。第２の表示パネル２００Ｂの外形を構成する第３の辺２７３には、第２の表示パネル２００Ｂを駆動する第２のドライバが配置されている。第２のドライバは、複数のソース線ＳＬにソース信号を供給する第２のソースドライバ４１０Ｂと、複数のゲート線ＧＬにゲート信号を供給する第２のゲートドライバ４２０Ｂとを含む。
【００２８】
図６に示すように、第２の表示パネル２００Ｂの第２の薄膜トランジスタ基板２３０Ｂは、複数のゲート線ＧＬを含む。複数のゲート線ＧＬは、複数の画素間を横切るよう、第３の方向に延伸し、第３の方向に交差する第４の方向に略等間隔に配置されている。また、第２の表示パネル２００Ｂの第２の薄膜トランジスタ基板２３０Ｂは、第４の方向に延伸する複数のゲート引出線ＶＧＬを含む。複数のゲート線ＧＬは、この複数のゲート引出線ＶＧＬに電気的に接続されており、第２のゲートドライバ４２０Ｂは、このゲート引出線ＶＧＬを介してゲート信号を各ゲート線ＧＬに供給する。
【００２９】
また、図６に示すように、第２の表示パネル２００Ｂの第２の薄膜トランジスタ基板２３０Ｂは、複数のソース線ＳＬを含む。複数のソース線ＳＬは、第２のソースドライバ４１０Ｂに電気的に接続され、第２のソースドライバ４１０Ｂからのソース信号が供給される。複数のソース線ＳＬは、複数の画素間を横切るよう、第４の方向に延伸する。
【００３０】
なお、図６に示す構成においては、第１の表示パネル２００Ａにおいて、ゲート線ＧＬが延伸する第１の方向と、第２の表示パネル２００Ｂにおいて、ゲート線ＧＬが延伸する第３の方向は異なる。また、第１の表示パネル２００Ａにおいて、ソース線ＳＬ、ゲート引出線ＶＧＬが延伸する第２の方向と、第２の表示パネル２００Ｂにおいて、ソース線ＳＬ、ゲート引出線ＶＧＬが延伸する第４の方向とは異なる。
【００３１】
ここで、本実施形態においては、図６に示すように、第１の表示パネル２００Ａにおいて第１のドライバが配置されていない第２の辺２７２と、第２の表示パネル２００Ｂにおいて第２のドライバが配置されている第３の辺２７３とが隣接して配置される構成としている。
【００３２】
このような構成とすることにより、第１のドライバが配置された第１の辺２７１と、第２のドライバが配置された第３の辺２７３とが隣接しない構成とすることができるため、第１の表示パネル２００Ａの第１の表示領域３００Ａと、第２の表示パネル２００Ｂの第２の表示領域３００Ｂとを近接して配置することができる。そのため第１の表示パネル２００Ａと第２の表示パネル２００Ｂとの間における非表示領域の小面積化を図ることが可能となる。
【００３３】
即ち、第１の表示パネル２００Ａの第１の表示領域３００Ａと、第２の表示パネル２００Ｂの第２の表示領域３００Ｂとの間は非表示領域となるため、複数の表示パネル２００を用いて表示する一つの画像内を横切る非表示領域が発生する。この課題に対して、第１の表示パネル２００Ａにおいて第１のドライバが配置されていない第２の辺２７２と、第２の表示パネル２００Ｂにおいて第２のドライバが配置されている第３の辺２７３が隣接して配置される構成とすることにより、第１の表示領域３００Ａと第２の表示領域３００Ｂとの間の距離を小さくすることができ、第１の表示パネル２００Ａと第２の表示パネル２００Ｂとの間における非表示領域の小面積化を図ることが可能となる。
【００３４】
なお、上述した図４は、図６に示す第１の表示パネル２００Ａと第２の表示パネル２００Ｂを、第３の方向から見た側面図である。図４、６に示すように、第２の表示パネル２００Ｂの第３の辺２７３側には、電源回路やタイミングコントローラ等を含む第２のプリント回路基板５１０Ｂが配置されており、第２の表示パネル２００Ｂは、この第２のプリント回路基板５１０Ｂと第２のフィルム状配線基板５２０Ｂを介して電気的に接続されている。この第２のフィルム状配線基板５２０Ｂには上述した第２のソースドライバ４１０Ｂが搭載されている。
【００３５】
ここで、図４に示すように、第２のフィルム状配線基板５２０Ｂの少なくとも一部が湾曲し、第２のプリント回路基板５１０Ｂが、第２のバックライト６００Ｂの裏面側に配置された構成とすることが望ましい。つまり、第１の表示パネル２００       Ａの表示領域３００Ａは、表示面側から見て、第２の表示パネル２００Ｂの第２のドライバが配置されている第３の辺２７３と重なっている。このような構成とすることにより、第１の表示パネル２００Ａの第１の表示領域３００Ａと、第２の表示パネル２００Ｂの第２の表示領域３００Ｂとを更に近づけることができるため、第１の表示パネル２００Ａと第２の表示パネル２００Ｂとの間における非表示領域の小面積化を図ることが可能となる。
【００３６】
更には、図７に示すように、第１の表示パネル２００Ａの第２の辺２７２において、第１のバックライト６００Ａの背面側に傾斜面６１０を設け、第２の表示パネル２００Ｂの第３の辺２７３における、第２の薄膜トランジスタ基板２３０Ｂの少なくとも一部が、傾斜面６１０と対向するように、第１の表示パネル２００Ａと第２の表示パネル２００Ｂとを配置することが望ましい。このような構成とすることにより、第１の表示パネル２００Ａの第１の表示領域３００Ａと、第２の表示パネル２００Ｂの第２の表示領域３００Ｂとを更に近づけることができるため、第１の表示パネル２００Ａと第２の表示パネル２００Ｂとの間における非表示領域の小面積化を図ることが可能となる。
【００３７】
また、本実施形態においては、図５に示したように、各表示パネル２００においてドライバが配置される領域を一つの辺にまとめる構成としているため、複数の表示パネル２００を組み合わせた際に、各表示パネル２００におけるドライバが配置されていない辺の総和よりも、ドライバが配置された辺の総和を小さくすることができる。そのため、図２に示すように、ドライバが配置される辺と隣接する全ての辺を、ドライバが配置されない辺とすることが可能となる。その結果として、そのため複数の表示パネル２００間における非表示領域の小面積化を図ることが可能となる。
【００３８】
また、本実施形態においては、図２に示したように、各表示パネル２００の外形を正多角形としている。即ち、各表示パネル２００の外形を構成する各辺の長さが等しい構成としている。そのため、図４、６、７に示したように、例えば、第２の表示パネル２００Ｂにおける第２のドライバが配置された第３の辺２７３に配置された、第２のプリント回路基板５１０Ｂ、第２のフィルム状配線基板５２０Ｂを、第１の表示パネル２００Ａにおける第１のドライバが配置されていない第２の辺２７２により隠すことができる。
【００３９】
また、本実施形態においては、各表示パネル２００の外形を正三角形としている。そのため、図５に示したように、ドライバが配置された辺（例えば第１の辺２７１、第３の辺２７３）から離れるに従って、表示パネル２００の外形の幅が狭くなる構成とすることができる。その結果として、表示パネル２００の外形を構成する一つの辺に配置されたドライバから、ソース線ＳＬ、及びゲート引出線ＶＧＬを、表示パネル２００全体に延伸させやすい構成となる。
【００４０】
なお、表示パネルは、表示面側に設けられる薄膜トランジスタ基板と、薄膜トランジスタ基板に対向するように背面側に設けられる対向基板とを有する構成であってもよい。即ち、第１の表示パネル２００Ａにおいて、第１の薄膜トランジスタ基板２３０Ａが、第１の対向基板２４０Ａよりも第１の表示面３１０Ａ側に配置され、第２の表示パネル２００Ｂにおいて、第２の薄膜トランジスタ基板２３０Ｂが、第２の対向基板２４０Ｂよりも第２の表示面３１０Ｂ側に配置される構成としてもよい。
【００４１】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４２】
１００  表示装置、２００  表示パネル、２００Ａ  第１の表示パネル、２００Ｂ  第２の表示パネル、２３０Ａ  第１の薄膜トランジスタ基板、２３０Ｂ  第２の薄膜トランジスタ基板、２４０Ａ  第１の対向基板、２４０Ｂ  第２の対向基板、２７１  第１の辺、２７２  第２の辺、２７３  第３の辺、３００Ａ  第１の表示領域、３００Ｂ  第２の表示領域、３１０Ａ  第１の表示面、３１０Ｂ  第２の表示面、４１０Ａ  第１のソースドライバ、４１０Ｂ  第２のソースドライバ、４２０Ａ  第１のゲートドライバ、４２０Ｂ  第２のゲートドライバ、５１０Ａ  第１のプリント回路基板、５１０Ｂ  第２のプリント回路基板、５２０Ａ  第１のフィルム状配線基板、５２０Ｂ  第２のフィルム状配線基板、６００Ａ  第１のバックライト、６００Ｂ  第２のバックライト、６１０  傾斜面、θ  角度、ＧＬ  ゲート線、ＶＧＬ  ゲート引出線、ＳＬ  ソース線、ＰＥ  画素電極、ＴＦＴ  薄膜トランジスタ、ＣＥ  共通電極。
【図１】
2020160342.tif 000003
【図２】
2020160342.tif 000004
【図３】
2020160342.tif 000005
【図４】
2020160342.tif 000006
【図５】
2020160342.tif 000007
【図６】
2020160342.tif 000008
【図７】
2020160342.tif 000009